(57)【要約】  コンピュータ支援設計（ＣＡＤ）ソフトウェアアプリケーションモジュールと併用されるスマートプランポータルである。スマートプランポータルは、事前設計要素ライブラリを供給し、これらの事前設計要素が提示されて建築設計の選択及び配置が行なわれる。配置した各要素は、隣接要素及び建築設計全体と自動的に一体化される。要素ライブラリを使用する建築設計に基づいて、構造構成部材及び設備構成部材が生成される。各構成部材は、デジタル識別子に関連付けられ、デジタル識別子を使用して、関連する構成部材の複数の属性を特定する。【選択図】図５
2020514905.tif 000002
【特許請求の範囲】
【請求項１】
構造物を設計する方法であって、前記方法は、
１つ以上の事前設計要素の選択と、指定される幾何学的グリッド上の前記1つ以上の事前設計要素の配置とを受信することと、
前記選択及び配置した１つ以上の事前設計要素を１つ以上の隣接要素と前記指定される幾何学的グリッド上で一体化することと、
複数の構造構成部材の場所及び位置を、前記一体化した１つ以上の事前設計要素及び前記１つ以上の隣接要素に基づいて特定することと、を含み、デジタル識別情報に関連する前記複数の構造構成部材の各構造構成部材で少なくとも、前記指定される幾何学的グリッドに対する前記構造構成部材の前記位置及び前記場所を特定する、方法。
【請求項２】
前記選択及び配置した１つ以上の事前設計要素を前記１つ以上の隣接要素と前記指定される幾何学的グリッド上で一体化することは更に、
前記複数の構造構成部材の共有構造構成部材を、前記１つ以上の事前設計要素に含まれる複数の構造構成部材と、前記１つ以上の隣接要素に含まれる複数の構造構成部材とに基づいて特定することを含み、前記特定することは更に、前記１つ以上の隣接要素に対する前記１つ以上の事前設計要素の位置及び場所に基づいて行なわれる、請求項１に記載の方法。
【請求項３】
前記複数の構造構成部材は、壁パネル、トラス、及び構造柱のうち少なくとも１つを含む、請求項１に記載の方法。
【請求項４】
前記選択及び配置した１つ以上の事前設計要素を前記１つ以上の隣接要素と前記指定される幾何学的グリッド上で一体化することは更に、
前記事前設計要素と前記１つ以上の隣接要素との間の設備レイアウトを特定することと、
前記設備レイアウトを前記事前設計要素と前記１つ以上の隣接要素との間に連結させることと、を含む、請求項１に記載の方法。
【請求項５】
更に、
１つ以上の設備構成部材を、前記事前設計要素と前記１つ以上の隣接要素との間に前記特定して連結させた設備レイアウトに基づいて特定することと、
前記特定した１つ以上の設備構成部材に関するデジタル識別情報を生成して、前記生成したデジタル識別情報を前記特定した１つ以上の設備構成部材に関連付けることと、を含み、前記特定した１つ以上の設備構成部材に関する前記デジタル識別情報で少なくとも、前記指定される幾何学的グリッドに対する前記関連付けた１つ以上の設備構成部材の前記位置及び前記場所を特定する、請求項４に記載の方法。
【請求項６】
前記選択及び配置した１つ以上の事前設計要素を前記１つ以上の隣接要素と前記指定される幾何学的グリッド上で一体化することは更に、
廊下を前記選択及び配置した１つ以上の事前設計要素と前記１つ以上の隣接要素との間に特定される間隔に基づいて生成することを含み、前記生成した１つ以上の廊下は、前記複数の構造構成部材のうち１つ以上の構造構成部材を含む、請求項１に記載の方法。
【請求項７】
前記１つ以上の事前設計要素は、事前設計アパートメントレイアウト、事前設計オフィス用スイート、エレベータ、及び階段のうち少なくとも１つを含む、請求項１に記載の方法。
【請求項８】
コンピュータシステム上でプロセスを実行するプロセッサ実行可能命令を符号化する１つ以上の有形のプロセッサ可読記憶媒体であって、プロセスは、
１つ以上の事前設計要素の選択と、指定される幾何学的グリッド上の前記１つ以上の事前設計要素の配置とを受信することと、
前記選択及び配置した１つ以上の事前設計要素を１つ以上の隣接要素と前記指定される幾何学的グリッド上で一体化することと、
複数の構造構成部材の場所及び位置を、前記一体化した１つ以上の事前設計要素及び前記１つ以上の隣接要素に基づいて特定することと、を含み、デジタル識別情報に関連する前記複数の構造構成部材の各構造構成部材で少なくとも、前記指定される幾何学的グリッドに対する前記構造構成部材の前記位置及び前記場所を特定する、１つ以上の有形のプロセッサ可読記憶媒体。
【請求項９】
前記選択及び配置した１つ以上の事前設計要素を前記１つ以上の隣接要素と前記指定される幾何学的グリッド上で一体化することは更に、
前記複数の構造構成部材の共有構造構成部材を、前記１つ以上の事前設計要素に含まれる複数の構造構成部材と、前記１つ以上の隣接要素に含まれる複数の構造構成部材とに基づいて特定することを含み、前記特定することは更に、前記１つ以上の隣接要素に対する前記１つ以上の事前設計要素の位置及び場所に基づいて行なわれる、請求項８に記載の１つ以上の有形のプロセッサ可読記憶媒体。
【請求項１０】
前記複数の構造構成部材は、壁パネル、トラス、及び構造柱のうち少なくとも１つを含む、請求項８に記載の１つ以上の有形のプロセッサ可読記憶媒体。
【請求項１１】
前記選択及び配置した１つ以上の事前設計要素を前記１つ以上の隣接要素と前記指定される幾何学的グリッド上で一体化することは更に、
前記１つ以上の事前設計要素と前記１つ以上の隣接要素との間の設備レイアウトを特定することと、
前記設備レイアウトを前記事前設計要素と前記１つ以上の隣接要素との間に連結させることと、を含む、請求項８に記載の１つ以上の有形のプロセッサ可読記憶媒体。
【請求項１２】
前記コンピュータプロセスは更に、
１つ以上の設備構成部材を、前記事前設計要素と前記１つ以上の隣接要素との間に前記特定して連結させた設備レイアウトに基づいて特定することと、
前記特定した１つ以上の設備構成部材に関するデジタル識別情報を生成して、前記生成したデジタル識別情報を前記特定した１つ以上の設備構成部材に関連付けることと、を含み、前記特定した１つ以上の設備構成部材に関する前記デジタル識別情報で少なくとも、前記指定される幾何学的グリッドに対する前記関連付けた１つ以上の設備構成部材の前記位置及び前記場所を特定する、請求項１１に記載の１つ以上の有形のプロセッサ可読記憶媒体。
【請求項１３】
前記選択及び配置した１つ以上の事前設計要素を前記１つ以上の隣接要素と前記指定される幾何学的グリッド上で一体化することは更に、
廊下を前記選択及び配置した１つ以上の事前設計要素と前記１つ以上の隣接要素との間に特定される間隔に基づいて生成することを含み、前記生成した１つ以上の廊下は、前記複数の構造構成部材のうち１つ以上の構造構成部材を含む、請求項８に記載の１つ以上の有形のプロセッサ可読記憶媒体。
【請求項１４】
前記１つ以上の事前設計要素は、事前設計アパートメントレイアウト、事前設計オフィス用スイート、エレベータ、及び階段のうち少なくとも１つを含む、請求項８に記載の１つ以上の有形のプロセッサ可読記憶媒体。
【請求項１５】
構造物を設計するシステムであって、前記システムは、
１つ以上の事前設計要素を供給する要素ライブラリであって、前記１つ以上の事前設計要素の各事前設計要素が提示されてユーザによる選択が行なわれる、前記要素ライブラリと、
指定される幾何学的グリッド上の１つ以上の事前設計要素の選択及び配置を受信し、前記選択及び配置した１つ以上の事前設計要素を１つ以上の隣接要素と前記指定される幾何学的グリッド上で一体化するように構成される構造構成部材変換モジュールと、
前記幾何学的グリッドの前記指定を受信し、複数の構造構成部材の場所及び位置を、前記一体化した１つ以上の事前設計要素、及び前記１つ以上の隣接要素に基づいて特定するように構成される幾何学的グリッドモジュールと、を備え、デジタル識別情報に関連する前記複数の構造構成部材の各構造構成部材で少なくとも、前記指定される幾何学的グリッドに対する前記構造構成部材の前記位置及び前記場所を特定する、システム。
【請求項１６】
前記幾何学的グリッドモジュールは、前記複数の構造構成部材の共有構造構成部材を、前記１つ以上の事前設計要素に含まれる複数の構造構成部材と、前記１つ以上の隣接要素に含まれる複数の構造構成部材とに基づいて特定することにより、前記選択及び配置した１つ以上の事前設計要素を１つ以上の隣接要素と前記指定される幾何学的グリッド上で一体化し、前記特定することは更に、前記１つ以上の隣接要素に対する前記１つ以上の事前設計要素の位置及び場所に基づいて行なわれる、請求項１５に記載のシステム。
【請求項１７】
前記幾何学的グリッドモジュールは、設備レイアウトを前記事前設計要素と前記１つ以上の隣接要素との間に特定し、前記設備レイアウトを前記事前設計要素と前記１つ以上の隣接要素との間に連結させることにより、前記選択及び配置した１つ以上の事前設計要素を１つ以上の隣接要素と前記指定される幾何学的グリッド上で一体化する、請求項１５に記載のシステム。
【請求項１８】
設備レイアウトを前記１つ以上の事前設計要素の間に特定することは更に、最適なレイアウトを１つ以上の設備レイアウトルールに基づいて特定することを含む、請求項１７に記載のシステム。
【請求項１９】
前記複数の構造構成部材は、壁パネル、トラス、及び構造柱のうち少なくとも１つを含む、請求項１５に記載のシステム。
【請求項２０】
前記１つ以上の事前設計要素は、事前設計アパートメントレイアウト、事前設計オフィス用スイート、エレベータ、及び階段のうち少なくとも１つを含む、請求項１５に記載のシステム。
【発明の詳細な説明】
【技術分野】
【０００１】
（関連出願の相互参照）
本出願は、２０１７年３月１０日出願の「ＳＭＡＲＴ  ＰＬＡＮＳ（スマートプラン）」と題する米国仮特許出願第６２／４６９，９８６号の非仮特許出願であり、米国仮特許出願第６２／４６９，９８６号の利益を主張するものであり、この米国仮特許出願の内容全体が引用をもって本明細書中に援用されているものとする。
【背景技術】
【０００２】
コンピュータ支援設計（ＣＡＤ）ソフトウェアを使用するビルディングインフォメーションモデリング（ＢＩＭ）は、多大な費用及び時間を要する作業である。ユーザは普通、建築物ユニット（例えば、アパートメントユニット、オフィス用スイート、ホテルルーム）、構造構成部材（例えば、柱、フレーム）、設備構成部材（例えば、ＨＶＡＣシステム、配管）を含む建築物のあらゆる態様を設計する。場合によっては、設備及び／又は構造物は、建築現場のその場で設計することができる。
【発明の概要】
【０００３】
本要約は、以下の詳細な説明に更に記載されるコンセプトの選択を簡易形式で紹介するために提供される。本要約は、特許請求する主題の重要な特徴、又は基本的な特徴を特定することを意図したものではなく、特許請求する主題の範囲を限定するために使用されることを意図したものでもない。特許請求する主題の他の特徴、詳細、有用性、及び利点は、様々な実施態様について以下に更に具体的に記述される詳細な説明及び添付の図面に更に図示され、添付の特許請求の範囲に定義される実施形態から明らかになる。
【０００４】
本出願は、ビルディングインフォメーションモデリング（ＢＩＭ）を行なうコンピュータ支援設計（ＣＡＤ）ソフトウェアアプリケーションモジュールと併用することができるスマートプランポータルを開示する。スマートプランポータルは、事前設計要素ライブラリを供給し、これらの事前設計要素が提示されて建築設計の選択及び配置が行なわれる。配置した各要素は、隣接要素及び建築設計全体と自動的に一体化される。要素ライブラリを使用する建築設計に基づいて、構造構成部材及び設備構成部材が生成される。各構成部材は、デジタル識別子に関連付けられ、デジタル識別子を使用して、関連する構成部材の複数の属性を特定する。
【図面の簡単な説明】
【０００５】
【図１】建築設計の幾何学的グリッドを、本明細書において説明されるスマートプランシステムを使用して指定する例示的なユーザインターフェースを示している。
【図２】建築設計の階数を、本明細書において説明されるスマートプランシステムを使用して指定する例示的なユーザインターフェースを示している。
【図３】１つ以上の要素を建築設計の要素ライブラリから、本明細書において説明されるスマートプランシステムを使用して選択する例示的なユーザインターフェースを示している。
【図４】建築物の所定の階を本明細書において説明されるスマートプランシステムを使用して設計する例示的なユーザインターフェースを示している。
【図５】建築物の所定の階を本明細書において説明されるスマートプランシステムを使用して設計する別の例示的なユーザインターフェースを示している。
【図６】本明細書において説明されるスマートプランシステムを使用する例示的な間取り設計のビューを示している。
【図７】本明細書において説明されるスマートプランシステムを使用して建築物を設計し、建築物の構造構成部材を生成する例示的なユーザインターフェースを示している。
【図８】例示的な建築設計の別の例示的な３次元ビュー、及び建築設計の構造構成部材を生成するユーザインターフェースを示している。
【図９】例示的な建築設計の別の例示的な３次元ビューを示している。
【図１０】建築設計の例示的な３次元ビューを示している。
【図１１】建築設計の別の例示的な３次元ビューを示している。
【図１２】建築設計の例示的な３次元ビューを示している。
【図１３】ユニット設計の拡大ビューを有する例示的なユニット設計を示している。
【図１４】ユニット設計の拡大ビュー及び３次元ビューを有する例示的なユニット設計を示している。
【図１５】例示的なユニット設計を示している。
【図１６】例示的なユニット設計の３次元ビューを示している。
【図１７】建築設計の例示的な３次元ビューを示している。
【図１８】自動的に一体化されるユニットの例示的な３次元ビューを示している。
【図１９】スマートプランシステムの例示的なブロック図を示している。
【図２０】スマートプランシステムを使用する例示的な操作を示している。
【図２１】スマートプランシステムを使用して要素の一体化を行なう例示的な操作を示している。
【図２２】説明されるテクノロジーを実現するために有用となり得る例示的な処理システムを示している。
【発明を実施するための形態】
【０００６】
本明細書において説明されるシステムは、コンピュータ支援設計（ＣＡＤ）ソフトウェアに使用することができるスマートプランポータルを提供する。例示的なＣＡＤソフトウェアは、Ａｕｔｏｄｅｓｋ社のＲｅｖｉｔ建築設計ソフトウェアを含む。ポータルは、事前設計要素（例えば、アパートメントユニット、オフィス用スイート、小売スペース、構造物、エレベータ、階段）ライブラリの標準化を可能にして要素を選択して幾何学的グリッド上に配置し、建築設計を生成することができる幾何学的グリッドに基づく建築設計システムを提供する。標準化要素ライブラリで設計される建築物は、構造構成部材（例えば、壁パネル、フレーム部材、トラス、床パネルなど）に変換することができる。スマートプランシステムにより更に、設備を建築設計に、選択した要素、及び要素の配置に基づいて自動的にインポートすることができる。このような設備は、ＨＶＡＣシステム、電気部品、配管などを含む。ポータルは、ユーザが建築設計（及び、事前設計要素）を、構造構成部材、選択した要素、設備、構造物、及び機械的調整器、配管、家具などのような仕様詳細レイヤで可視化することができるようなフィルタリング可能な可視化システムを提供する。ポータルは、居住可能面積、合計面積、ユニットタイプごとのユニット数などを自動的に提供する。このように、ポータルは、合理化され効率的な、ユーザフレンドリーな建築設計ユーザインターフェース及びシステムを提供する。
【０００７】
要素ライブラリは、任意のマルチユニット建築物タイプに対応するアパートユニット及びオフィス用スイート、小売スペース、共用エリア、階段の吹き抜け、エレベータなどのような事前設計ユニットを含む。事前設計要素を幾何学的グリッドに追加して建築設計を生成することができる。事前設計要素は、これらの事前設計要素が建築設計内で互いに自動的に一体化されるように構成される。建築物はスマートプランポータルを使用して設計されるので、システム及び構成部材の部品表を生成することができる。部品表は、材料タイプ、階、ユニットタイプなどに基づいてフィルタリング可能である。材料の製造、構成部材の設置などに関する財務モデルは、建築設計に基づいて自動的に生成することができる。幾つかの実施態様では、スマートプランポータルはクラウドベースであるので、例えば建築設計における遠隔連携が可能になる。
【０００８】
出力は、建築設計に基づいて生成される。このような出力は、例えば部品表、材料リスト、３Ｄモデル、機械制御ファイル、施工図、及び仕様などを含む。更に、デジタル識別情報が、各構造構成部材及び／又は設備構成部材に対応して生成される。デジタル識別情報は、構成部材のタイプ、構成部材材料、グリッドに対する構成部材の位置及び方向（例えば、ｘｙｚ位置）、構成部材アタッチメント（例えば、対象構成部材の接続先の構成部材）などを示すデータを含むデータストリームである。機械制御ファイルをロール成形機、溶接機、ロボットなどに転送して、建築設計に関する構造構成部材を生成することができる。
【０００９】
以下の図のユーザインターフェースは、スマートプランポータルに関して説明される。ユーザインターフェースは例示のために説明されており、他のレイアウトのユーザインターフェースを実装してもよいことを理解されたい。更に、ユーザインターフェースは、スマートプランポータル全体のほんの一部に過ぎない。このようなことから、特定のユーザインターフェースは例示から除外されている。
【００１０】
図１は、建築設計の幾何学的グリッド１０２を本明細書において説明されるスマートプランシステムを使用して指定する例示的なユーザインターフェース１００を示している。ユーザインターフェースは、属性ペイン１１０及びビューウィンドウ１１２を含む。属性ペインは、ユーザが調整することができる複数のフィールドを提供する。これらのフィールドは、幾何学的グリッド長、幅、角度、原点属性、階数などを含む。ユーザが各フィールドの値を入力すると、入力した値がビューウィンドウ１１２に自動的に表示される。ビューウィンドウは、幅Ｂ１０４、及び長さＡ１０６、並びに原点１１４を有する幾何学的グリッド１０２を示している。幾何学的グリッドは、水平線に対して角度C１０８だけずらしている。幾何学的グリッド幅Ｂ１０４、高さＡ１０６、及び幾何学的グリッド角度C１０８は、属性ペイン１４０のフィールドに基づいて生成される。幾何学的グリッド１０２は、例示であり、属性ペイン１１０に入力される値を表わしていない場合があることを理解されたい。
【００１１】
幾何学的グリッド長Ａ１０６、幅Ｂ１０４、原点１１４、及び角度Ｃ１０８は、建築物に関して選択される不動産面積に基づいて選択することができる。更に、幾何学的グリッド１０２は、複数の標準化サイズ正方形（例えば、正方形１１６）から構成することができる。このような正方形は、２フィート（ｆｔ．）×２フィート（６０．９６ｃｍ）とすることができるが、正方形の長さ、及び幅は、２フィートより大きくすることができる、又は小さくすることができることを理解されたい。幾つかの実施態様では、幾何学的グリッド１０２は、１インチ（ｉｎ．）×１インチ（２．５４ｃｍ）の正方形、又はより小さな正方形（例えば、より細かな粒度）に基づいている。幾何学的グリッド１０２を使用して建築物を設計する。例えば、ユニット（例えば、アパートメントユニット、ホテルルーム、オフィス用スイート）、構造物（例えば、階段）、エレベータなどのような建築物の事前設計要素が選択され、幾何学的グリッド１０２上に配置される。配置後、要素（及び、要素の構成部品）は、１つ以上の幾何学的正方形グリッドに従って参照されることができる。例えば、アパートユニットの壁は、幾何学的グリッド１０２の正方形のうち１つ以上の正方形の辺に沿って配置することができる。言い換えると、要素の特定の構造構成部材（例えば、壁パネル）は、幾何学的グリッド１０２の１つ以上の正方形に対して位置付けされる。建築設計の構造構成部材及び他の構成部材の各構成部材の位置、方向などは、幾何学的グリッド１０２の幾何学的正方形グリッド及び／又は１つ以上の直線に従って参照されるようにすることができる。幾何学的グリッド１０２に対する要素の配置は、建築物の１つ以上の階を介して拡張することができる。
【００１２】
図２は、建築設計のレベル（ｌｅｖｅｌ）数を、本明細書において説明されるスマートプランシステムを使用して指定する例示的なユーザインターフェース２００を示している。ユーザインターフェース２００は、属性ペイン２０２及びビューウィンドウ２０４を含む。ユーザインターフェース２００は、ユーザが、１以上のレベルの建築物を設計することができるようなフィールドを提供する。フィールド２０６では、ユーザは、１以上のレベルの建築物の階高の値を入力することができる。当該高さを入力した後、ユーザがａｄｄをクリックすると、所定の階に、入力した値が自動的に追加される。属性ペイン２０２は、５つのレベルが追加されていることを示している。標高欄には、標高がレベル数及び各レベルの階高に基づいて自動的に収集される。階高は、階高欄２１０で調整することができる。レベルは、「Ｐｒｅｓｃｉｅｎｔ  Ｌｅｖｅｌ（Ｐｒｅｓｃｉｅｎｔ社のレベル）」のレベルタイプ（例えば、レベルタイプ欄２１２の）を有するものとして図示されている。ｐｒｅｓｃｉｅｎｔ社のレベルタイプは、システムを構成する一連の標準化構造構成部材（例えば、壁パネル、床パネル、トラス）を定義する。他の間取りタイプが想到されることを理解されたい。
【００１３】
ビューウィンドウ２０４は、Ｐｒｅｓｃｉｅｎｔ社のレベルタイプの例示的なビューを示している。Ｐｒｅｓｃｉｅｎｔ社のレベルタイプは、部分的に図示されている断熱材層２１４及び２１６と、トラス構造２１８と、壁パネル２２０と、を含む。ユーザは、ビューウィンドウ２０４をパン及び／又はズームして、間取りタイプの異なる構造構成部材を可視化することができる。ユーザが１以上のレベルの建築物を構成した後、ユーザは「ＯＫ」を選択して、設計を開始し、要素を異なるレベルの建築物に追加し始めることができる。
【００１４】
図３は、１つ以上の要素を建築設計の要素ライブラリから、本明細書において説明されるスマートプランシステムを使用して選択する例示的なユーザインターフェース３００を示している。ユーザインターフェース３００は、ライブラリペイン３０２及びビューエリア３０４を含む。ライブラリペイン３０２は、建築設計に使用することができる１つ以上の事前設計要素を表示するように構成される。１つ以上の要素は、１つ以上のユニット（例えば、ユニット３０６）、階段、又はエレベータを含むことができる。ユニットは、アパートメントユニット（図示の）、オフィス用スイートなどとすることができる。ユニットは、標準化構造構成部材（例えば、壁パネル、トラス、床パネルなど）を使用して事前設計されるユニットとすることができる。アパートメントユニットは、複数の異なるレイアウト及び構成（例えば、２つのベッドルーム、スタジオなど）を含む。ライブラリペイン３０２は、ユーザが要素を、名称、建築物タイプ、ユニットタイプ、キーワード、ベッドルーム数、平方フィート、コーナールームなどで分類することができるように構成される。更に、タブ３０８により、ユーザを階段及びエレベータに誘導することができる。
【００１５】
ライブラリペイン３０２内の要素は、拡大ビューがビューエリア３０４内に表示されるように選択可能である。ユーザは、ビューエリア内、拡大表示内、及びペイン内の要素を選択して要素設計を可視化することができる。更に、ビューエリア３０４内に表示されるユニットを可視化して、異なるルーム、ドア、家電製品、電気部品、ＨＶＡＣシステム、構造構成部材などを表示することができる。要素は更に、これらの要素を建築設計の幾何学的グリッドに追加することができるように選択可能である（図１に示すように）。１つ以上の要素が幾何学的グリッドに追加される場合、これらの要素を配置して、建築設計の間取り図とすることができる。更に、要素がグリッド上に配置されると、要素の特定の構成部材をグリッドに素早く移動させることができる。例えば、事前設計アパートメントユニットの壁パネルは、グリッドの特定の直線又は正方形に素早く移動させることができる。このようなことから、事前設計要素ライブラリにより、ユーザはカスタム間取り図を容易に提供することができる。
【００１６】
図４は、建築物の間取り図を、本明細書において説明されるスマートプランシステムを使用して設計する例示的なユーザインターフェース４００を示している。ユーザインターフェース４００は、ライブラリペイン４０２及びビューエリア４０４を含む。ライブラリペイン４０２は、ビューエリア４０４内に図示される間取り図４０８に追加することができる複数の選択可能ユニット（例えば、ユニット４０６）を表示する。具体的には、間取り図４０８は、共有壁を持つＤ３ユニット４１０及びＣ１ユニット（ユニット４０６）を備える部分間取り図である。ユニット（例えば、Ｄ３ユニット４１０及びＣ１ユニット４０６）は、標準化構成部材（例えば、壁パネル）を使用して設計することができるので、これらのユニットは、共有壁で仕切って並べることができ、自動的に一体化することができる。更に、間取り図４０８は、幾何学的グリッド（図示せず）上で設計されて、全ての要素が、幾何学的グリッドの１つ以上の正方形を使用して参照されるようにすることができる。ライブラリペイン４０２では、ユーザはユニット群を、タイプ、サイズ、形状、場所（例えば、コーナールーム又は標準ルーム）などで選択的にフィルタリングして分類することができる。ユーザは更に、特定のユニットを選択してユニットの詳細ビューを取得することができる（例えば、レイアウト、構成部材、設備の３次元ビュー）。事前設計ユニット（例えば、ユニット４０６）は、建築仕様レベルにまで完全に詳細化されており、多種多様なビュー及び仕様詳細レイヤで表示することができる。
【００１７】
図５は、建築物の間取り図を、本明細書において説明されるスマートプランシステムを使用して設計する別の例示的なユーザインターフェース５００を示している。ユーザインターフェース５００は、ライブラリペイン５０２及びビューエリア５０４を含む。ビューエリア５０４では、本明細書において提供されるスマートプランポータルを使用して設計される間取り図５０６が示されている。具体的には、間取り図５０６は更に、図４において提供される部分間取り図を示している。ユーザは、新規ユニット５０８（Ａ３ユニット）を間取り図５０６に追加している。新規ユニット５０８は、他のユニットに接続されていない（他のユニットと壁を共用していない）。新規ユニット５０８は、新規ユニット５０８を他のユニットに接続することができるように選択可能かつ移動可能である（例えば、ドラッグすることにより）。更に、これらのユニットは、カスタム設計を行なうことができるように回転させることができる。新規ユニットが追加されると、設備レイアウト（例えば、配管、ＨＶＡＣ、及び電気系統）が事前設計ユニットの配置に基づいて自動的に生成される。例えば、新規ユニット５０８が追加されると、当該新規ユニットの事前設計必要配管部材が、隣接ユニット５１０の必要配管部材に自動的に接続される（例えば、一体化される）。新規ユニット５０８及び隣接ユニット５１０は、階全体又は階の一部に用いられる自動生成給水管に接続することができる。ライブラリペイン５０２では、ユーザはユニット群を、タイプ、サイズ、形状、場所（例えば、コーナールーム又は標準ルーム）などで選択的にフィルタリング及び分類することができる。
【００１８】
図６は、本明細書において開示されるスマートプランポータルを使用して設計される例示的な間取り図６１０の３次元ビュー６００を示している。間取り図は、複数の外部ユニット（例えば、ユニット６０２及び６０４）と、２つの内部ユニット６０６及び６０８と、を含む。間取り図６１０のレイアウトは例示であり、他の間取りレイアウトを設計することができることを理解されたい。３次元ビュー６００は、本明細書において説明されるスマートプランポータルを使用して実現することができるタイプのビューの例である。異なるユニットを配置すると、廊下６１２が得られ、廊下６１２を通って、これらのユニットに接近することができる。廊下６１２は、幾何学的グリッド（図示せず）上への異なるユニットの配置に基づいて自動的に生成される。
【００１９】
ユーザはパン及びズームして、間取り図の異なる部分を観察することができる。更に、異なる要素をフィルタリングして追加することができる。例えば、ユーザは、間取り図を構成する構造構成部材（例えば、壁パネル、トラス、及び床パネル）を可視化することができる。ユーザは更に、事前設計ユニットの配置に基づいて自動的に生成される設備レイアウト（例えば、ＨＶＡＣ、配管、及び電気）を可視化して修正することができる。更に、メニュー（図示せず）は、合計床面積（例えば、平方フィート単位）、合計居住可能床面積などを可視化する機能を提供する。
【００２０】
図７は、例示的な建築設計７０２の３次元ビュー７００を示している。具体的には、図７は、複数の階（例えば、合計５つの階）に拡張された図６に示す間取り図を示している。ビュー７００は、本明細書において説明されるスマートプランポータルを使用して生成される。スマートプランシステムは、ユーザが単一の間取り図を設計し、設計した単一の当該間取り図を複数の階に拡張することができ、各階を個別に設計する必要がないように構成される。この設計段階では、ユーザは階段要素及び／又はエレベータ要素を挿入したいと考える可能性がある。ライブラリ（図３に関連して上に説明した）は、１つ以上の事前設計エレベータ及び階段を提供することができる。ライブラリペイン（図示せず）は、これらの要素を表示し、これらの要素は、これらの要素を建築設計７０２（例えば、スペース７０４）内に配置することができるように選択可能である。階段要素及びエレベータ要素は、標準化構造構成部材（例えば、壁パネル、床パネル、トラス）で事前設計されるか、又はユニット（例えば、ユニット７０４及び７０６）が事前設計された場合に依拠する標準化構造構成部材にぴったり嵌まるか、又はぴったり合うように事前設計される。このようなことから、階段要素及び／又はエレベータ要素を配置することができ、これらの要素は、ユニット及び設備（例えば、電気系統、ＨＶＡＣ、配管）の構造構成部材と自動的に一体化させることができる。
【００２１】
図８は、例示的な建築設計８０２の別の例示的な３次元ビュー８００、及び建築設計８０２の構造構成部材（例えば、壁パネル、トラス、床パネル）を生成するユーザインターフェース８０４を示している。具体的には、３次元ビュー８００は、壁、ドア、階のような特定の属性を示している。ビュー８００は、本明細書において説明されるスマートプランポータルを使用して生成される。このビュー及び他のビューでは、ユーザスマートプランポータルによりユーザは、マウスを要素に合わせて、要素の名称及びタイプを決定することができる。設計８０２では、マウスインジケータ８０６が天井パネルの上にある。表示されるテキストボックス８０８はユーザに、天井要素のタイプを通知する。ユーザはマウスを、ドア、壁パネル、床パネル、窓などのような他の要素に合わせることができる。更に、建築設計の全ての要素は、表示される幾何学的グリッド８１０に対して参照されるようにすることができる。例えば、壁パネルの場所及び／又は方向は、幾何学的グリッド８１０の１つ以上の直線又は正方形に対して決定され得る。建築設計８０２がほぼ完了している場合、スマートプランシステムは、ユーザが構造構成部材を建築設計８０２に基づいて、ユーザインターフェース８０４を使用して生成することができるように構成される。
【００２２】
図９は、例示的な建築設計９０２の別の例示的な３次元ビュー９００を示している。具体的には、図９は、図８における建築設計８０２に基づいて生成される構造構成部材を示している。ビュー９００は、本明細書において説明されるスマートプランポータルを使用して生成される。構造構成部材は、様々な壁パネル（例えば、壁パネル９０４）、トラス（例えば、トラス９０６）、窓（例えば、窓９１０）などを含む。構造構成部材は、標準化構造構成部材を使用して事前設計されるユニット（例えば、アパートメントユニット）に基づいて生成される。構造構成部材は標準化されているので、これらの構造構成部材は、建築設計９０２に容易に一体化される。
【００２３】
説明されるスマートポータルシステムを使用すると、建築設計９０２に必要な構造構成部材のリストを、スマートプランポータル（例えば、部品表）を使用して生成することができる。更に、部品表は、建築設計の異なる階、構成部材タイプ、設備タイプなどに基づいて、フィルタリングして可視化することができる。これにより、各階の構造構成部材を個別に製造及び供給することができる。例えば、建築設計９０２の１階の構造構成部材を製造して建築現場に最初に供給することができる。１階の構造構成部材が設置されている間、２階の構造構成部材を製造して、１階の設置完了時に供給することができ、３階以上も同様にすることができる。
【００２４】
構造構成部材が建築設計９０２に対応して生成されると、デジタル識別情報（ＩＤ）が各構造構成部材及び／又は設備構成部材に対応して生成される。生成されるＩＤは、構成部材名、タイプ、材料、グリッドを基準とする場所及び方向、隣接構成部材（群）、隣接構成部材（群）を取り付ける方法などのようなデータを表わすことができる。
【００２５】
図１０は、建築設計１００４の例示的な３次元ビュー１０００及び１００２を示している。ビュー１０００及び１００２は、本明細書において説明されるスマートプランポータルを使用して生成される。ビュー１０００及び１００２では、設備要素が示されている。例えば、ビュー１０００は、ダクト１００７及び電気配線１００８を示している。ビュー１００２は、建築設計１００４の所定の階の拡大ビューである。ビュー１００２は、様々なダクト（例えば、ダクト１０１０）、空調ユニット１０１２、給水管（例えば、給水管１０１４）、及び配線系統（例えば、配線１０１６）を示している。様々な設備要素は、これらのビューで選択可能にフィルタリングすることができる。例えば、ユーザは、ダクト及び空調ユニット、給水管、廃水路などのようなＨＶＡＣ設備要素のみを選択的に可視化することができる。更に、これらの要素は、幾何学的グリッド１０１８の１つ以上の正方形（又は、直線）と関連付けて参照されるようにすることができる。
【００２６】
様々なビューでは、ユーザは、給水管１０１４のような構成部材を選択して、現在のビューの中心を選択構成部材に固定することができる。ユーザは、選択構成部材の周りをパンして、３６０度の様々な角度から可視化することができる。更に、ユーザは、選択した構成部材をズームしてズームアウトすることができる。このようなことから、ユーザは、構成部材がどのようにして他の構成部材と一体化されるかを可視化することができる。
【００２７】
図１１は、建築設計１１０２の別の例示的な３次元ビュー１１００を示している。具体的には、図１１は、ユニット群のうち１つのユニット内から眺めたときの建築設計１１０２のビューを示している。ビュー１１００は、本明細書において説明されるスマートプランポータルを使用して生成される。建築物は、空調ユニット１０１２、空調ユニット１１０４及びダクト１１０６のような様々なＨＶＡＣ設備、給水配管（例えば、給水管１１０８）、照明要素１１１０のような様々な照明要素、トイレ１１１２のような様々な浴室用品、壁パネル（例えば、壁パネル１１１４）、電気コンセント（例えば、電気コンセント１１１６）、トラス（例えば、トラス１１１９）などを含む。ユーザは、設計内のエリアから見たときの建築設計１１０２を可視化することができ、様々なビューをフィルタリングして、異なる要素を表示することができる。更に、設備要素（配管、ＨＶＡＣシステム、照明など）は、床面積などでフィルタリングすることができるリスト機能を使用して可視化することができる。設備要素及び構造構成部材は、幾何学的グリッド（図示せず）の１つ以上の正方形と関連付けて参照されるようにすることができる。
【００２８】
図１２は、建築設計１２０４の例示的な３次元ビュー１２００及び１２０２を示している。ビュー１２００及び１２０２は、本明細書において説明されるスマートプランポータルを使用して表示される。具体的には、図１２は、建築設計１２０４の構造構成部材の外部ビュー１２００、及び壁パネル（例えば、壁パネル１２０６）を備える建築設計の外部ビュー１２０２を示している。３次元ビューは、１つ以上の事前設計要素の配置、及び指定される幾何学的グリッド上の１つ以上の事前設計要素の配置に基づいて生成される建築設計に基づくことができる。事前設計要素の配置を建築設計の複数の階に拡張して３次元ビュー１２００及び１２０２を生成することができる。３次元ビューは、内部構成部材又は外部「ｓｋｉｎ（スキン）」（例えば、外側表面の外観及び雰囲気）を示している。幾つかの例示的な実施態様では、ユーザは外部スキンを、１つ以上の事前設計スキンに基づいて変更することができる。
【００２９】
図１３は、ユニット設計１３０２の拡大ビューを有する例示的なユニット設計１３００を示している。具体的には、図１３は、スマートプランポータル内の要素ライブラリにより提供することができる例示的なアパートメントユニットを示している。他のユニット設計が想到され、他のユニット設計をユニットライブラリに追加することができることを理解されたい。ユニット設計１３０２は、例示的なユニット設計であり、例示的なユニット設計は、壁パネル、構造柱などのような複数の構造構成部材に基づいて行なわれる。例えば、ユニット設計１３０２は、複数の外壁（例えば、外壁１３０４）を含み、これらの外壁は、１つ以上の標準化壁パネルに基づくことができる。「Ｅｘｔｅｒｉｏｒ  ｗａｌｌ（外壁）」とは、必ずしも建築物の外側を意味しているのではなく、ユニットの外側を意味している。更に、１つ以上の内壁（例えば、内壁１３０６）は、標準化壁パネルに基づくことができる。例えば、標準化壁パネル群のうち１つ以上の標準化壁パネルは、窓及び／又はドアの開口部を含むことができる、又は閉鎖壁パネル（例えば、窓又はドアが無い）とすることができる。標準化壁パネルは、ロール成形機又は他の自動機械を使用して成形することができるトラック（ｔｒａｃｋ）要素又はスタッド（ｓｔｕｄ）要素のような標準化構成部材により形成することができる。
【００３０】
ユニット設計１３０２は更に、シンク、トイレ、シャワー、ＨＶＡＣシステム、廃水路、電気部品（回路遮断器、配線、コンセント、照明、照明スイッチなど）を含む１つ以上の設備構成部材（図示せず）の配置及び位置を含むことができ、これらの設備構成部材は、壁パネルのような構造構成部材と一体化することができる。したがって、ユニット設計１３０２は、当該設計内の構造構成部材及び設備構成部材を含む。ユニット設計１３０２が建築設計内に、本明細書において説明されるスマートプランポータルを使用して配置される場合、ユニット設計１３０２は、１つ以上の隣接ユニット設計と一体化することができる。このような一体化は、共有壁パネルを特定すること、設備構成部材を連結することなどを含むことができる。配置したユニット設計１３０２と隣接設計との間に特定される間隔が存在する場合、スマートプランポータルはユニット間の廊下を特定し、構造構成部材（例えば、壁パネル、トラス）を生成して廊下を形成することができる。更に、建築設計に関連するデジタル幾何学的グリッドに対する構造構成部材の配置、位置付けなどに関する情報を含むデジタル識別情報を、構造構成部材及び設備構成部材に関連付けることができる。
【００３１】
図１４は、ユニット設計１４０６の拡大ビュー１４０２及び３次元ビュー１４０４を有する例示的なユニット設計１４００を示している。ユニット設計１４００、拡大ビュー１４０２、及び３次元ビュー１４０４は、例示であり、互いに具体的に対応していない可能性があることを理解されたい。具体的には、図１４は、スマートプランポータル内の要素ライブラリにより提供することができる例示的なアパートメントユニットを示している。ユニット設計１４０６は、壁パネル、構造柱などのような複数の構造構成部材に基づいて設計される例示的なユニット設計である。例えば、ユニット設計１４０６は、複数の外壁（例えば、外壁１４０８）を含み、これらの外壁は、１つ以上の標準化壁パネルに基づくことができる。「Ｅｘｔｅｒｉｏｒ  ｗａｌｌ（外壁）」とは、必ずしも建築物の外側を意味しているのではなく、ユニットの外側を意味している。更に、１つ以上の内壁（例えば、内壁１４１０）は、標準化壁パネルに基づくことができる。例えば、標準化壁パネル群のうち１つ以上の標準化壁パネルは、窓及び／又はドアの開口部を含むことができる、又は閉鎖壁パネル（例えば、窓又はドアが無い）とすることができる。標準化壁パネルは、ロール成形機又は他の自動機械を使用して成形することができるトラック（ｔｒａｃｋ）要素又はスタッド（ｓｔｕｄ：間柱）要素のような標準化構成部材により形成することができる。
【００３２】
ユニット設計１４０６は更に、シンク、トイレ、シャワー、浴槽、ＨＶＡＣシステム、廃水路、電気部品（回路遮断器、配線、コンセント、照明など）を含む１つ以上の設備構成部材（図示せず）の配置及び位置を含むことができ、これらの設備構成部材は、壁パネルのような構造構成部材と一体化することができる。したがって、ユニット設計１４０６は、当該設計内の構造構成部材及び設備構成部材を含む。ユニット設計１４０６が建築設計内に、本明細書において説明されるスマートプランポータルを使用して位置付けられる場合、ユニット設計１４０６は、１つ以上の隣接ユニット設計と一体化することができる。このような一体化は、共有壁パネルを特定すること、設備構成部材を連結することなどを含むことができる。配置したユニット設計１４０６と隣接設計との間に特定される間隔が存在する場合、スマートプランポータルはユニット間の廊下を特定し、構造構成部材（例えば、壁パネル、トラス）を生成して廊下を形成することができる。更に、建築設計に関連するデジタル幾何学的グリッドに対する構造構成部材の配置、位置付けなどに関する情報を含むデジタル識別情報を、構造構成部材及び設備構成部材に関連付けることができる。
【００３３】
ユニット設計１４０６の３次元ビュー１４０４を利用して、ユーザは、ユニット設計１５０６の周りをパンする、ユニット設計１５０６を回転させる、ユニット設計１５０６のフィルタリングを行なうことができる。このようなフィルタリングは、中実壁を透明壁パネルにレンダリングすることを含むことができ、設備構成部材などは、ユニット設計１４０６に関して可視化することができる。様々なレベルのフィルタリングレイヤを利用して、構成部材（例えば、ＨＶＡＣシステムと組み合わせた壁パネルのような構造構成部材）の異なる組み合わせを可視化することができる。例えば、ユーザは、機械的調整器（ＨＶＡＣ、配管、電気系統）と一体化される構造構成部材（例えば、壁パネル、トラス、フレーム）を可視化することができる。幾つかの例示的な実施態様では、家具図を含むようにして、ユニット設計１４０６を、透明壁及び家具レイアウトを有する３次元ビューで可視化することができる。
【００３４】
図１５は、例示的なユニット設計１５００を示している。具体的には、図１５は、スマートプランポータル内の要素ライブラリにより提供することができる照明レイアウトを有する例示的なアパートメントユニット設計を示している。ユニット設計１５００の照明レイアウトは、複数の照明器具（例えば、照明器具１５０２及び１５０４）を含む。ユニット設計１５００は、本明細書において説明されるスマートプランポータルを使用して表示される。ユニット設計１５００が建築設計内に配置される場合、照明レイアウトは、隣接ユニット又は他の構成部材の一体化照明（例えば、照明に電気的に接続される）とすることができる。本明細書において説明されるスマートプランポータルを利用するユーザは、当該ポータルを使用してユニット設計１５００の様々なレイヤを可視化することができる。例えば、ユーザは、透明壁及び家具を有するユニット設計１５００の３次元ビューを可視化することができる。したがって、ユーザ（例えば、建築設計者）は、ユニットのレイアウトの現実的な感覚を可視化することができる。
【００３５】
図１６は、例示的なユニット設計１６００の３次元ビューを示している。具体的には、図１６は、スマートプランポータル内の要素ライブラリにより提供することができる例示的なアパートメントユニット設計を示している。ユニット設計１６００は、壁パネルのような複数の標準化構造構成部材を使用して設計される例示的な設計である。ユニット設計は更に、シンク（例えば、シンク１６０２）、シャワー／洗面台（例えば、洗面器１６０４）、及び排水管（例えば、排水管１６０６）のような設備構成部材を含む。ユニット設計１５００を表示するユーザインターフェースを使用して、ユーザはパン、ズームなどを行なうことによりユニット設計の様々な構成部材を可視化することができる。更に、ユーザは、異なるレイヤをフィルタリングして組み合わせることにより、ユニット設計１６００の様々な構成部材を可視化することができる。
【００３６】
図１７は、建築設計１７０２の例示的な３次元ビュー１７００を示している。具体的には、図１７は、本明細書において説明されるスマートプランポータルのユーザが建築物を設計するときの部分的な建築設計１７０２を示している。ユーザは、建築設計の１階を複数の事前設計要素（例えば、アパートメントユニット１７０８）を使用して設計することができる。ユーザは１階を拡張して２階を自動的に生成することができる。様々なユニット及び階が追加されると、スマートプランポータルは構造構成部材及び設備構成部材を様々な隣接構造構成部材及び設備構成部材と一体化して、必要な構成部材を含む建築設計を生成することができる。建築設計用に生成される各構成部材（例えば、壁パネル、ＨＶＡＣユニット）は、幾何学的グリッド（図示せず）に対するそれぞれの構成部材の場所、位置などを符号化するデジタル識別子に関連付けられる。スマートプランポータルは更に、廊下（例えば、廊下１７０４）をユニット（例えば、アパートメントユニット１７０６と１７１０との）間の間隔に基づいて生成する。
【００３７】
階段の吹き抜け１７１２及びエレベータの吹き抜け１７１４も、スマートプランポータルにより提供することができる例示的な事前設計ユニットである。階段の吹き抜け１７１２及びエレベータの吹き抜け１７１４は、階段の吹き抜け（例えば、レール、蹴上げ）及びエレベータの吹き抜け（例えば、エレベータボックス、昇降機構成部材、電気部品）を生成するために必要な構造物及び構成部材を含むことができる。これらの要素及び構成部材は、建築設計１７０２内に配置されると、建築構造物の構成部材と自動的に一体化される。階段の吹き抜け１７１２及びエレベータの吹き抜け１７１４を拡張して、２つ以上の階を受け持つようにすることができる。このように、階段の吹き抜け１７１２及びエレベータの吹き抜け１７１４は、建築設計１７０２の構造モデル内で完全に一体化することができる。
【００３８】
図１８は、自動的に一体化されるユニット１８０２及び１８０４の例示的な３次元ビュー１８００を示している。具体的には、図１８は、一体化ユニット群を有する上階及び下階の一部を示している。ユニット１８０２及び１８０４がスマートプランポータルを使用して位置付けされると、２つのユニット１８０２と１８０４との間のスペースを接続する廊下が自動的に生成される。更に、これらのユニットが２階に拡張されると、廊下の天井１８０８が自動的に生成される。更に、可視化ツール１８１０によりユーザは、回転、ズーム、パンなどを行なって一体化ユニット１８０２及び１８０４を可視化することができる。
【００３９】
３次元ビュー１８００は更に、一体化ユニット１８０２及び１８０４の例示的な家具レイアウト及び備品レイアウトを示している。家具ビューは、スマートプランポータルを使用して選択可能な例示的なビューである。例示的な実施態様では、当該ビューは、内部家具及び備品を可視化するために透明とすることができる様々な壁パネル（図示せず）を含むことができる。例示的な家具は、テーブルセット１８１０、ベッド１８１２、及びキャビネットレイアウト１８１４を含む。他の家具材及び備品材が図示され、想到される。家具レイアウト及び備品レイアウトは、要素ライブラリにより提供される一体化ユニット１８０１２及び１８０４に含めることができる。したがって、これらのユニットが建築設計の内部に配置される前に、例示的な家具レイアウト及び備品レイアウトを可視化することができる。家具レイアウト及び備品レイアウトは更に、完全な建築設計又は部分的な建築設計として可視化することができる。
【００４０】
図１９は、スマートプランシステム１９００の例示的なブロック図を示している。システム１９００は、建築物の設計ファイルを生成するために使用されるコンピュータ支援設計（ＣＡＤ）ソフトウェアモジュール１９０２を含む。ＣＡＤソフトウェアモジュール１９０２の例が、Ａｕｔｏｄｅｓｋ社のＲｅｖｉｔ建築設計ソフトウェアである。設計ファイルは、ＡｕｔｏＣＡＤ  ＤＷＧファイル、ＤＸＦファイル、ＪＰＥＧファイル、ＢＭＰファイル、ＧＩＦファイル、ＴＸＴファイルなどのような形式で生成することができる。システムは、要素ライブラリ１９０６を有するスマートプランポータル１９０４を含む。スマートプランポータル１９０４及び要素ライブラリ１９０６は、ＣＡＤソフトウェアモジュール１９０２とは別個であるとして示されているが、要素ライブラリ１９０６及びスマートプランポータル１０４は、ＣＡＤソフトウェアモジュール１９０２と一体化されていてもよいことを理解されたい。
【００４１】
要素ライブラリ１９０６は、アパートメントユニット、オフィス用スイート、階段、エレベータ、共用エリアなどのような事前設計要素を提供するレコードを含む。要素ライブラリの各要素は、標準化構造構成部材（例えば、壁パネル（フレーム部材）、トラス、柱、床パネルなど）を使用して事前設計することができ、特定の設備構成部材仕様を含むことができる。このような設備構成部材仕様は、ＨＶＡＣシステムのＡ／Ｃユニット及びダクトの配置、給水配管の配置、電気系統の配置などを含むことができる。要素は、要素ライブラリにスマートプランポータル１９０４又はソフトウェアモジュール１９０２を使用して追加することができる。更に、事前設計要素は、クラウド及び／又はリモートデータベースのようなリモートソースからフェッチすることができる。実施態様では、要素ライブラリ１９０６は、ユーザが１つ以上の要素を、ネットワークを使用して取り出すことができるように遠く離れた場所に格納される。要素ライブラリ１９０６は、遠く離れた場所に居る管理者が更新及び管理することができる。
【００４２】
システム１９００は、様々な標準化構造構成部材及び設備構成部材に関する構造細部のレコードを格納する別のデータベース（図示せず）を含むことができる。これらのレコードは更に、寸法、横方向及び垂直方向の耐荷力、せん断耐力、締め付け力成分などのような、これらの構成部材の他の特性を含むことができる。
【００４３】
システムは、選択及び配置される１つ以上の事前設計要素を使用する幾何学的グリッドモジュール１９０８を含む。建築設計を、スマートプランポータル１９０４を有するＣＡＤソフトウェアモジュール１９０２を使用して生成する設計者は、選択を行なってグリッドモジュール１９０８を作動させることができる。別の構成として、グリッドモジュール１９０８は、ＣＡＤソフトウェアモジュール１９０２が作動しているときに自動的に作動するように構成することができる。ユーザが１つ以上の要素をグリッド上に配置すると、特定の構成部材（例えば、壁）が幾何学的グリッドの１つ以上の直線に素早く移動することができる。幾何学的グリッドモジュール１９０２は、配置される要素の各構成部材に関する座標を特定する。グリッドは、ｘ平面、ｙ平面、及びｚ平面の各平面内で生成することができる。幾つかの実施態様では、幾何学的グリッドは、複数グリッドからなるグリッド網として、建築設計における典型的な角度に相当する様々な角度に設定することができる。幾何学的グリッドにより更に、様々な角度の幾つかのグリッドを互いに作動させることにより、傾斜建築物の設計が可能になり、活動的なグリッドは、これらの構成部材を正確なグリッド座標に素早く移動させる。
【００４４】
システム１９００は、構造構成部材変換モジュール１９１０を含む。構造構成部材変換モジュールは、事前設計要素の配置に基づく設計ファイルを要素ライブラリ１９０６から受信する。要素ライブラリの要素は、１つ以上の標準化構造構成部材を使用して事前設計されるので、構造構成部材変換モジュール１９１０は、建築設計の構造構成部材を生成する。構造構成部材変換モジュールは、１つ以上の要素の間で共有される１つ以上の構成部材を担当する。例えば、２つの事前設計アパートメントユニットが互いに隣接して配置される場合、構造構成部材変換モジュール１９１０は、１つ以上の共有壁パネル及び／又はフレーム部材を担当する。
【００４５】
システム１９００は、設備生成モジュール１９１２を含む。設備生成モジュール１９１２は、１つ以上の事前設計要素の配置に基づいて生成される設計ファイル及び／又は構造構成部材ファイルを受信し、設備構成を生成する。例えば、１つ以上の事前設計要素（例えば、アパートメントユニット）の各事前設計要素の設備仕様が決定され、建築設計の設備仕様が生成される。特定の例では、２つの事前設計アパートメントユニットが設計ファイル内で互いに隣接して位置付けられる場合、共有給水管が生成されて、各アパートメントユニットが給水を共有することができるようにする。設備仕様は、建築設計の単一階及び建築設計の複数階に対応するＨＶＡＣシステム、電気系統、排水系統などに関して生成することができることを理解されたい。
【００４６】
システム１９００は更に、出力モジュール１９１４を含み、出力モジュールによりユーザは、様々な出力１９１６を、様々なモジュールの出力、及び１つ以上の設計ファイルに基づいて生成することができる。出力モジュール１９１４は、建築設計の様々な段階で使用することができる。例えば、特定の出力は、建築物の１階が、事前設計要素ライブラリ１９０６を使用して設計された後に生成することができる。この例示的な段階では、１階のユニット群の数及び／又はタイプ、１階の居住可能／居住不能スペースの合計面積、様々な構成部材リストなどを示す出力を生成することができる。
【００４７】
出力モジュール１９１４は、部品表１９１８を生成するように構成され、部品表は、様々な構造構成部材及び／又は設備構成部材の数及びタイプを列挙する。部品表１９１８は更に、建築構造物に必要な締結ねじ、ボルト、スタッドなどのリストを含むことができる。部品表１９１８は、階、構成部材タイプなどでフィルタリング可能であり、分類することができる。
【００４８】
出力モジュール１９１６は、建築構造物の３次元モデル１９２０を生成することもできる。幾つかの実施態様では、このような３Ｄモデル１９２０は動的に更新されて、建築物の建築又は設計が進行するにつれて、３Ｄモデル１９２０も更新される。３Ｄモデル１９２０は、建築構造物の様々な構造構成部材及び設備構成部材を特定及び表示することができる。幾つかの実施態様では、出力モジュール１９１４は、出力ファイルを生成してプロジェクトエンジニアリングレビュー及び承認を行なう。
【００４９】
出力モジュール１９１６は、様々な構成部材のデジタル識別情報１９２２を生成することもできる。このようなデジタル識別情報１９２２は、構成部材タイプ、材料、幾何学的グリッド（群）の１つ以上の直線に対する場所及び方向、隣接構成部材、隣接構成部材との接続機構などを記述するデータを含むことができる。当該データは、生成したＱＲコード（登録商標）を使用して参照されるようにすることができるか、又は取り出すことができ、生成したＱＲコード（登録商標）は、構成部材に、このような構成部材が製造された後に付与される。ＱＲコード（登録商標）が建築段階で利用されて符号化データを取り出すことができ、当該データをエンジニアが建築物の建築の際に（例えば、対象構成部材をどのようにして別の構成部材に取り付ければよいか）使用することができる。
【００５０】
出力モジュール１９１６は、構造構成部材及び設備構成部材を製造するために使用される様々な機械を制御するために使用することができる機械制御ファイル１９２４又はマクロファイルを生成することもできる。例えば、出力モジュール１９１４により生成される機械制御ファイル１９２４を使用して、壁パネル及びトラスに対応するトラック要素及びスタッド要素を生成する様々な軽量鋼ロール成形機を制御することができる。出力モジュール１９１６は更に、プロジェクト設計チーム、エンジニア、及び建築部門が使用することができる施工図及び仕様１９２６を生成する。
【００５１】
図２０は、本明細書において説明されるスマートプランシステムを使用する例示的な操作２０００を示している。受信する操作２００２では、幾何学的グリッドの指定を受信する。例えば、ユーザはグリッドの長さ、幅、及び粒度を選択することができる。ユーザ選択に基づいて、グリッドを生成することができる。第２の受信する操作２００４では、建築物の建築物タイプ及び階数の指定を受信する。例えば、メニューがユーザに提示されてユーザは、住宅の建築物タイプ、商用又は併用、及び階数、及び各間取りのタイプ（例えば、Ｐｒｅｓｃｉｅｎｔ社の間取りタイプ）を選択することができるようにする。操作２００６を行なうことにより、事前設計要素ライブラリを供給することができる。設計要素は、アパートメントユニット、共用エリア、小売スペース、エレベータ、階段などを含むことができる。供給される要素は、選択した建築物タイプに基づくことができる。例えば、ユーザが、建築物が住宅タイプであると指定する場合、供給される要素はアパートメントユニットである。
【００５２】
受信する操作２００８では、グリッド上の１つ以上の設計要素の選択、及びグリッド上への１つ以上の設計要素の配置を受信する。例えば、ユーザは、供給される複数のアパートメントユニットをグリッド上にドラッグアンドドロップする。これらのユニットは、グリッドの様々な直線又は正方形に配置に従って素早く移動することができる。更に、ユニット群又は他の要素群が別の要素に隣接して配置されると、これらのユニットは自動的に一体化される（例えば、共有壁が生成される）。更に、廊下が配置に基づいて自動的に認識及び生成される。拡張操作２０１０では、１つ以上の設計要素を次の階に拡張する。例えば、ユーザは１階を、様々なアパートメントユニットの配置で設計する。１階の設計は、２階及び３階に拡張することができる。各階は、個別に設計してもよいことを理解されたい。受信する操作２０１２では、１つ以上の階段及び／又はエレベータの選択及び配置を受信する。ユーザが２以上の階を設計した後、ユーザは事前設計階段及び／又はエレベータを指定スペースに配置することができる。事前設計階段及びエレベータは、事前設計要素の構成部材（例えば、アパートメントユニット、共用エリアなど）と自動的に一体化される。
【００５３】
第１生成操作２０１４では、構造構成部材を建築設計に基づいて生成する。標準化構成部材（例えば、壁パネル、トラスなど）に基づく事前設計要素の配置を使用して、構造構成部材を生成することができる。構造構成部材は、関連するデジタル識別子を有することができ、デジタル識別子を使用して構造構成部材の様々な属性を生成することができる。例えば、デジタル識別子は、構成部材タイプ、グリッドに対する位置、材料、形状、重量、接続機構などを認識するデータを含むことができる。第２生成操作２０１６では、設備構成部材を建築設計に基づいて生成する。設備仕様（例えば、ＨＶＡＣユニット、給水管など）を有することができる事前設計要素の配置を使用して、各階及び建築物全体に対応する設備構成部材を生成する。
【００５４】
第３生成操作２０２０では、１つ以上の出力を生成する。このような出力は、ユーザインターフェース上に表示される３Ｄモデルを含むことができる。表示されるこのようなモデルをフィルタリングして、様々な構造構成部材又は設備構成部材、若しくは完成設計図（例えば、乾式壁、家具、家電製品などを備える完成建築物を示す）を示すことができる。生成される他の出力は、部品表、施工図及び仕様図面、機械制御ファイル又はマクロファイルなどを含む。構造構成部材及び設備構成部材に関するデジタル識別子を生成することもできる。
【００５５】
図２１は、要素の一体化を、本明細書において説明されるスマートプランシステムを使用して行なう例示的な操作２１００を示している。受信する操作２１０２では、幾何学的グリッドの指定を受信する。例えば、ユーザは、グリッドの長さ、幅、及び粒度を選択することができる。ユーザ選択に基づいて、グリッドを生成することができる。第２の受信する操作２１０４では、建築物の建築物タイプ及び階数の指定を受信する。例えば、メニューがユーザに提示されて、ユーザが住宅の建築物タイプ、商用又は併用、及び階数及び各間取りのタイプ（例えば、Ｐｒｅｓｃｉｅｎｔ社の間取りタイプ）を選択することができるようにする。供給する操作２１０６では、事前設計要素ライブラリを供給する。設計要素は、アパートメントユニット、共用エリア、小売スペース、エレベータ、階段などを含むことができる。供給される要素は、選択した建築物タイプに基づくことができる。例えば、ユーザが、建築物が住宅タイプであると指定する場合、供給される要素はアパートメントユニットである。
【００５６】
受信する操作２１０８では、隣接設計要素の隣のグリッド上の１つ以上の設計要素の選択及び配置を受信する。特定する操作２１１０では、配置される設計要素と隣接設計要素との間で共有される任意の構造構成部材を特定する。例えば、特定する操作２１１０では、共有壁、フレーム部材、柱などを特定することができる。第２の特定する操作２１１２では、設計要素及び隣接設計要素の設備レイアウトを特定する。例えば、第２の特定する操作２１１２では、ＨＶＡＣシステム構成部材、電気部品、給水管、廃水路の場所などを特定することができる。判断する操作２１１４では、設備レイアウトを設計要素と隣接設計要素との間に接続する必要があるかどうかを判断する。例えば、判断する操作２１１４では、廃水路又は電気が接続可能であると判断することができる。特定する操作２１１６では、最適な設備レイアウトを１つ以上の設備レイアウトルールに基づいて特定する。生成する操作２１１６では、廊下構造を、設計要素と隣接設計要素との間の間隔に基づいて生成する。廊下構造は、トラス、壁、設備構成部材（例えば、照明）などを含むことができる。
【００５７】
図２２は、説明されるテクノロジーを実現するために有用となり得る例示的な処理システム２２００を示している。コンピュータシステム２２００は、有形のコンピュータ可読記憶媒体において具体化されるコンピュータプログラム製品を実行してコンピュータプロセスを実行することができる。データ及びプログラムファイルは、コンピュータシステム２２００に入力することができ、コンピュータシステム２２００はファイルを読み取り、プログラムをコンピュータシステム２２００内で、１つ以上のプロセッサを使用して実行する。コンピュータシステム２２００の構成要素の幾つかの構成要素が図２２に図示され、プロセッサ２２０２は、入力／出力（Ｉ／Ｏ）セクション２２０４、中央処理装置（ＣＰＵ）２２０６、及びメモリセクション２２０８を有するものとして図示されている。１つ以上のプロセッサ２２０２を設けて、処理システム２２００のプロセッサ２２０２が、単一の中央処理装置２２０６、又は複数の処理装置を備えるようにする。これらのプロセッサは、シングルコアプロセッサ又はマルチコアプロセッサとすることができる。処理システム２２００は、従来のコンピュータ、分散コンピュータ、又は任意の他のタイプのコンピュータとすることができる。説明されるテクノロジーは、メモリ２２０８、ディスクストレージユニット２２１２に読み込まれる、及び／又は有線ネットワークリンク又は無線ネットワークリンク２２１４を介して搬送波信号（例えば、イーサネット（登録商標）、３Ｇ無線、２２Ｇ無線、ＬＴＥ（ロングタームエボリューション））に載せて伝送されるソフトウェアで任意に実現されることにより、図２２の処理システム２２００を特殊用途マシンに変換して、説明される操作を実行する。
【００５８】
Ｉ／Ｏセクション２２０４は、１つ以上のユーザインターフェースデバイス（例えば、キーボード、タッチスクリーンディスプレイユニット２２１８など）又はディスクストレージユニット２２１２に接続することができる。システム及び方法を、説明されるテクノロジーに従って実行する機構を含むコンピュータプログラム製品は、このようなシステム２２００のメモリセクション２２０４又はストレージユニット２２１２に常駐させることができる。
【００５９】
通信インターフェース２２２４は、コンピュータシステム２２００を企業ネットワークにネットワークリンク２２１４を介して接続することができ、ネットワークリンク２２１４を介して、コンピュータシステムは、搬送波で具体化される命令及びデータを受信することができる。ローカルエリアネットワーキング（ＬＡＮ）環境で使用される場合、処理システム２２００は、ローカルネットワークに１種の通信デバイスである通信インターフェース２２２４を介して接続される（有線接続により、又は無線で）。ワイドエリアネットワーキング（ＷＡＮ）環境で使用される場合、処理システム２２００は通常、通信を、ワイドエリアネットワークを介して確立させるモデム、ネットワークアダプター、又は任意の他の種類の通信デバイスを含む。ネットワーク接続環境では、処理システム２２００又は処理システムの一部に関して図示されているプログラムモジュールは、リモートメモリストレージデバイスに格納することができる。図示のネットワーク接続は、通信リンクをコンピュータ間で確立させる通信デバイスの例であり、通信リンクをコンピュータ間で確立させる他の手段を使用してもよいことを理解されたい。
【００６０】
例示的な実施態様では、ユーザインターフェースソフトウェアモジュール、通信インターフェース、入力／出力インターフェースモジュール、及び他のモジュールは、メモリ２２０８及び／又はストレージユニット２２１２に格納され、プロセッサ２２０２により実行される命令で具体化することができる。更に、ローカルコンピューティングシステム、リモートデータソース、及び／又はサービス、及び他の関連ロジックは、建築設計、モデル生成、及び構成部材の生成を支援するように構成することができるファームウェア、ハードウェア、及び／又はソフトウェアを表わす。スマートプランポータルシステムは、汎用コンピュータ及び専用ソフトウェア（サービスソフトウェアを実行するサーバのような）、特殊用途コンピューティングシステム及び専用ソフトウェア（サービスソフトウェアを実行するモバイルデバイス又はネットワーク家電製品のような）又は他のコンピューティング構成を使用して実行することができる。更に、要素、構成部材データ、ルール、機械学習データ、及びシステム最適化パラメータのようなデータは、メモリ２２０８及び／又はストレージユニット２２１２に格納することができ、プロセッサ２２０２により実行することができる。
【００６１】
本明細書において説明される本発明の実施態様は、論理ステップとして１つ以上のコンピュータシステムにおいて実行される。本発明の論理演算は、（１）１つ以上のコンピュータシステムにおいて実行される一連のプロセッサ実行ステップとして、及び（２）１つ以上のコンピュータシステム内の相互接続マシン又は回路モジュールとして実行される。実施態様は選択できる問題であり、本発明を実行するコンピュータシステムの性能要件に依存する。したがって、本明細書において説明される本発明の実施態様を構成する論理演算は、操作、ステップ、オブジェクト、又はモジュールと様々に表記される。更に、明示的にその他の方法で請求されない限り、又は特定の順序が請求項の文言により本質的に必要とされない限り、論理演算は任意の順序で実行することができ、必要に応じて追加及び省略することができることを理解されたい。
【００６２】
データストレージ及び／又はメモリは、ハードディスク媒体、複数のストレージデバイスを含むストレージアレイ、光媒体、固体ドライブテクノロジー、ＲＯＭ、ＲＡＭ、及び他のテクノロジーのような様々な種類のストレージにより具体化することができる。操作は、ファームウェア、ソフトウェア、配線接続回路、ゲートアレイテクノロジー、及び他のテクノロジーで、マイクロプロセッサ、マイクロプロセッサコア、マイクロコントローラ、特殊用途向け回路、又は他の処理テクノロジーで実行又は支援されるかどうかに関係なく、実行することができる。データストレージシステムの書き込みコントローラ、ストレージコントローラ、データ書き込み回路、データ読み取り及び取り出し回路、分類モジュール、及び他の機能モジュールは、プロセッサ可読命令を処理してシステム実行プロセスを実行するプロセッサを含むことができる、又はプロセッサと連携動作することができることを理解されたい。
【００６３】
特許請求の範囲に関する本記述及び意味付けを行なうために、「ｍｅｍｏｒｙ（メモリ）」（例えば、メモリ２２０８）という用語は、不揮発性メモリ（フラッシュメモリなどのような）及び揮発性メモリ（ダイナミックランダムアクセスメモリなどのような）を含む有形のデータストレージデバイスを意味している。コンピュータ命令は、メモリに、コンピュータプロセッサがアクセスするデータ、仮想マッピング、オペレーティングシステム、アプリケーションなどのような他の情報と一緒に永続的又は一時的にメモリに常駐して所望の機能を実行する。「ｍｅｍｏｒｙ（メモリ）」又は「ｓｔｏｒａｇｅ  ｍｅｄｉｕｍ（記憶媒体）」という用語は、搬送波信号のような一時的な媒体を明示的に含まないが、コンピュータ命令はメモリに無線で転送することができる。
【００６４】
上記明細書、例、及びデータは、本発明の例示的な実施態様の構造及び使用に関する完全な記述を提供する。本発明の多くの実施態様は、本発明の趣旨及び範囲から逸脱することなく実施することができるので、本発明は以下に添付される特許請求の範囲に存在する。更に、異なる実施態様の構造的特徴は、記載の特許請求の範囲から逸脱することなく、更に別の実施態様において組み合わせることができる。本発明の実施形態及び用途を示して説明してきたが、本開示の利益を享受する当業者には、上に説明したよりもずっと多くの変形が、本明細書における本発明のコンセプトから逸脱しない範囲で可能であることが明らかであろう。したがって、本発明は、添付の特許請求の範囲の趣旨を除き、限定されるべきではない。
【図１】
2020514905.tif 000003
【図２】
2020514905.tif 000004
【図３】
2020514905.tif 000005
【図４】
2020514905.tif 000006
【図５】
2020514905.tif 000007
【図６】
2020514905.tif 000008
【図７】
2020514905.tif 000009
【図８】
2020514905.tif 000010
【図９】
2020514905.tif 000011
【図１０】
2020514905.tif 000012
【図１１】
2020514905.tif 000013
【図１２】
2020514905.tif 000014
【図１３】
2020514905.tif 000015
【図１４】
2020514905.tif 000016
【図１５】
2020514905.tif 000017
【図１６】
2020514905.tif 000018
【図１７】
2020514905.tif 000019
【図１８】
2020514905.tif 000020
【図１９】
2020514905.tif 000021
【図２０】
2020514905.tif 000022
【図２１】
2020514905.tif 000023
【図２２】
2020514905.tif 000024
【国際調査報告】
2020514905.tif 000025
2020514905.tif 000026